(57)【要約】【課題】  ケーブル上の電気ノイズを効果的に吸収できる装置を提供する。【解決手段】  ケーブル上の電気ノイズを吸収する装置であって、２分割シェルの対から成るハウジングを含む。溝付きのフェライト構成部品は、各々の２分割シェルの内部に位置する。ハウジングが閉じられるときにフェライト構成部品の対面する表面の間に載置されることになる平坦なタブが、ハウジング上に形成され、それによって、規定のエアギャップを有するフェライト構成部品を形成することになる。【選択図】  図７
2007524223.tif 000002
【特許請求の範囲】
【請求項１】
ケーブル上の電気ノイズを吸収する装置であって、
１．１  ハウジング（１）と、
１．２  ハウジング（１）内に配置されて、電気ノイズを吸収する材料によって製造される２つの部分（２０）とを有し、
１．３  当該部分は、ハウジング（１）が閉じられるときにケーブルのための通路をそれらの間に形成するものであり、
１．４  少なくとも１つのスペーサを有し、
１．５  当該スペーサは、２つの部分（２０）の対面する表面の間に配置され得ることを特徴とする、
ケーブル上の電気ノイズを吸収する装置。
【請求項２】
ハウジング（１）が、それぞれに、電気ノイズを吸収する材料によって製造される構成部品（２０）をその中に収容する１対の２分割シェル（２，３）から組立てられることを特徴とする、請求項１に記載の装置。
【請求項３】
少なくとも１つのスペーサの様々な厚さを調整するための手段を有することを特徴とする、請求項１または２に記載の装置。
【請求項４】
２分割シェル対（２，３）が、フォイル・ヒンジ（４）によって接合されることを特徴とする、請求項３に記載の装置。
【請求項５】
一方の２分割シェル（２）におけるタブ（１１）と他方の２分割シェル（３）における凹部（１２）とを有するラッチ機構を有していることを特徴とする、前述の請求項のいずれかに記載の装置。
【請求項６】
タブ（１１）が、ハウジングのエッジ上に配置されることを特徴とする、請求項５に記載の装置。
【請求項７】
ハウジングの壁（５）が、タブ（１１）のいずれかの側面上において切り込み（２１）を有することを特徴とする、請求項５または６に記載の装置。
【請求項８】
切り込み（２１）が、ハウジングのエッジ（２２）の周りに延在することを特徴とする、請求項７に記載の装置。
【請求項９】
スペーサが、ハウジング（１）上に形成され、詳細には、２分割シェル（３）上に形成されることを特徴とする、前述の請求項のいずれかに記載の装置。
【請求項１０】
スペーサが、短い狭隘なストリップであることを特徴とする、前述の請求項のいずれかに記載の装置。
【請求項１１】
数個のスペーサを有することを特徴とする、前述の請求項のいずれかに記載の装置。
【請求項１２】
スペーサは、２つの部分（２０）の対面する表面の対の間においてギャップが維持されるように構成されることを特徴とする、前述の請求項のいずれかに記載の装置。
【発明の詳細な説明】
【技術分野】
【０００１】
本発明は、ライン上の電気ノイズを吸収する装置に関する。
【背景技術】
【０００２】
電子機器の機能に干渉し得るその高周波干渉は、電線路上を伝播するものであり、周知である。そのような不安定な高周波干渉は、「ノイズ」と呼ばれる。
【０００３】
そのような電気的干渉を吸収することが可能であり、特にはフェライトである金属材料、磁性材料、または同様の機能性材料から製造されるそのリングは、各ラインの周りに配置され得るものであり、これもまた周知である。現在まで普通に必要とされている周波数帯の場合には、関連する電気ケーブルを取り囲むフェライト材料によって製造される閉鎖リングが、存在しなければならないと想定されている。ノイズを吸収する装置を組み込むことを可能にするために、それぞれが溝を有する２つの部分においてそのようなリングを構成することは、周知の事実である。それらの２つの部分は、その後、ケーブルの周りに配置され、その対面する各表面が面一の取付け具を形成するように結合される。それらの間のエアギャップを排除するために、バネ装填さえも採用されるのである。
【０００４】
しかしながら、電気ノイズを吸収するそれらの周知のギャップレス装置は、高い直流電流を伝播させるラインが関わる高い周波数において限界を有する。
【発明の開示】
【発明が解決しようとする課題】
【０００５】
本発明の課題は、高い周波数において且つ大きなＤＣ成分が関わる場合にも申し分のない成果を上げることになるライン上の電気ノイズを吸収する装置を作ることである。
【課題を解決するための手段】
【０００６】
その課題を解決するために、本発明は、請求項１に記載の各特徴を有する、ライン上の電子ノイズを吸収する装置を提案する。本発明に関する詳細は、副次的な請求項によってカバーされる。
【発明の実施形態】
【０００７】
１００ＭＨｚから２００ＭＨｚの範囲内に納まる周波数が発生する場合、そのエアギャップにより、フェライト構成要素のインピーダンスが増大する。更になお、フェライト材料は、磁化されることになり、およそ４アンペアの電流で飽和状態に達する。それが発生すると、高周波干渉のフィルタリングは、停止することになる。しかしながら、その効果は、エアギャップを設けることによって回避され得るものでもある。
【０００８】
２つの部分の間におけるエアギャップは、相互に相補的な２つの部分から成る構成が妥当なアプローチであり続けるように、ケーブルを経路指定する通路の直径およびケーブルの直径の両方よりも遥かに狭隘である。
【０００９】
本発明に従って且つその詳細の下において本発明によって提案される装置をケーブルに取付ける作業を容易にするために、そのハウジングは、それぞれがノイズ吸収材料で製造される部分をその中に収容する１対の２分割シェルによって構成されても良い。当該装置は、その後、ノイズ吸収材料で製造される部分がハウジングの各々の２分割シェルの内部に収容されるような様式で製造されて市場に出され得ることになる。２分割シェル対は、その後、工具の使用を必要としない単純な手段を採用して、現場で実地に結合されても良い。
【００１０】
両方の２分割シェルおよび両方の部品は、全く同じものとして構成されても良く、その取付け作業者は、それに対応して数多くの部品を提供されても構わない。
【００１１】
しかしながら、本発明の詳細の下において、ハウジングの２分割シェル対は、フォイル・ヒンジによって接合されても良く、その場合には、当該装置は、互いに結合されるものとしては意図されていないコンポーネントが互いに結合されることになる危険を排除するために、単一のユニットとして取扱われても良い。
【００１２】
一旦、それらがケーブル上の適所に置かれてしまうと、ハウジングの２分割シェル対は、それらがフォイル・ヒンジによって接合されるか否かに関わらず、例えば、それらの周りにテープを巻き付けるか或いはそれらを合わせてラッチすることによって、結合されても良い。しかしながら、当該装置は、一方の２分割シェル上におけるタブと他方の２分割シェル上における凹部とを有し、そのタブおよび凹部がラッチ機構を形成するようにしたラッチ機構を有することが特に役立つであろう。例えば、タブは、その凹部の内部に位置する逃げ溝の下側に係合する突起を有しても良い。
【００１３】
そのタブは、例えば、ハウジングのエッジ上、すなわち特には、その２分割シェル対を分離する平面に隣接するエッジ上の場所に配置されても良いのである。
【００１４】
本発明に従ってハウジングが閉じられるときに後者の間におけるエアギャップの幅の変動を補正することを許容するために、ハウジングの２分割シェルの一方の壁は、ラッチ機構の部分を形成するタブまたはその他の構成部品のいずれかの側面に隣接する切り込みを有して、それがラッチ機構に所定の弾力性を付与するようにされても良い。詳細には、その切り込みは、ハウジングのエッジの周り、すなわち関連するそれぞれの２分割シェルのベース上に延在するようにされても良い。そのラッチ機構は、切り込みがどこまで遠く延在するのかに応じて、多かれ少なかれ弾力的であることになる。
【００１５】
エアギャップの幅を決定する上述のスペーサは、例えば、本発明の詳細の下において、ハウジング上に形成され、詳細には２分割シェル上に形成されても良く、その場合には、スペーサは、別体の構成部品を提示しないことになる。例えば、スペーサは、ハウジング上に形成される短いストリップであっても良い。それは、例えば、ハウジングが組立てられ或いは手早く締められるとき、フェライト部品の一方の関連する表面に対して自動的に面するように形成されても良い。
【００１６】
詳細には、一様な幅を有する狭隘なエアギャップの形成を許容するために、当該装置は、数個のスペーサを有するようにされても良い。詳細には、それらのスペーサは、１対の対面する表面において、それらの２つの部分がギャップによって分離されるように構成されても良い。
【００１７】
本発明の更なる特徴、詳細および利点は、それらの表現が本件明細書の一体的な部分としてその参考のために組み込まれる各請求項および要約書と、本発明の好適な実施形態に関する以下の詳細な説明と、以下の各図から明瞭になるであろう。
【実施例】
【００１８】
図１は、開いたハウジングの上面図である。
【００１９】
図２は、図１に示された構成の端面図である。
【００２０】
図３は、図１に示された装置の側面図である。
【００２１】
図４は、閉じたハウジングの端面図である。
【００２２】
図５は、エアギャップの幅が変化する、図４に対応する図である。
【００２３】
図６は、閉じたハウジングの側面図である。
【００２４】
図７は、その中に収容されるフェライト部品を示している２分割シェルの長手方向断面図である。
【００２５】
図１において、フォイル・ヒンジ４によってそれらの隣接表面の近傍において接合される１対の２分割シェル２，３によって構成される、開いたハウジング１が示されている。各々の２分割シェルは、１対の側壁５，６および１対の端壁７，８を提示する略立方形状を有する。各々の２分割シェルの側壁５，６は、それらの端壁７，８と同様に、相互に平行である。図１において紙面の下に位置する両方の２分割シェル２，３の底部は、ベース９によってそれぞれ閉じられる。そのベース９は、その中心線に沿って１つまたはそれ以上の半球状の突起１０を有しており、２分割シェルの中に挿入されるフェライトの角度を合わせる。タブ１１は、他方の２分割シェル３から反対側に面する一方の２分割シェル２の側壁５の側面上に形成される一方、２分割シェル３の対応する側壁５もまた、その長さに沿った同じ場所において凹部１２を有する。
【００２６】
各々の端壁７，８は、それらの２つが接合されるとき略円形の穴の半分を形成する中央の半円形切欠き１３を有する。
【００２７】
１対の平行側壁１６を有するレセプタクルを形成するクリップ１４は、一方の端壁８の外側表面上に形成される。そのクリップ１４は、ハウジングをケーブル上に摺動させるために使用され、その側壁１６の各エッジがケーブルをクランプする。
【００２８】
ハウジングが組立てられるときに両者共に共通の平面内に位置し、且つそれらを分離する平面を形成する、２分割シェル対２，３の各エッジ上の平坦表面１７は、図１において観察されることが可能である。後者の平面は、図２の右側にも見えている。
【００２９】
図３は、図１に示された２分割シェル対によって構成される装置の頂面図を示している。それらを分離する平面内に位置するハウジングの２分割シェルの一方のエッジから突起するタブ１１は、ここでは紙面の平面内に位置している。タブ１１は、適度に剛直な部分を有するものであり、その遠端部には、１対の逆傾斜状の突起１８が形成されている。後者に関して意図されている目的は、凹部１２内に位置する関連の逃げ溝の下側に係合することである。
【００３０】
図示のサンプルの実施形態の場合には凹部１２を収容する２分割シェル３（図３参照）である一方の２分割シェルの端壁７，８の内面から斜め上向きに突起する小さなタブ１９は、それらのエッジ１４に近接して形成される。タブ１９を形成するこれらの小さなスペーサすなわちストリップ（図１参照）は、その側壁５，６と切欠き１３との間に位置する場所に形成される。溝に似たコンジットを有している電気ノイズを吸収するためのフェライト部分は、２分割シェルの中に挿入されるとき、切欠き１３の延長部を構成する。両方のフェライト部分の外側面は、切欠き１３のエッジの間に近接して位置し、ハウジングの側壁５，６の内面に沿って延在するように配置される。図７で示されるように、タブ１９は、ハウジングが閉じられている間、それらの外側面に当接する。図７は、図１に示された線VII−VIIに沿った２分割シェルの長手方向断面図を示している。上述のタブ１９は、その端壁７，８の内面上に形成される。図７の左側に見えているタブ１９の方向付け、すなわち斜め上向きの突出は、ハウジングが開いている場合のものである。それらと、フェライト部分の上側横外側面に一致してハウジングの２分割部分を分離する平面１７との間における開先角度は、ほぼ６０°である。その後、ハウジングが手早く閉じられると、他方のフェライト部分２０が先のフェライト部分に上から接近することになり、タブ１９は、折り曲げられ、後者の上側外側面上に平坦に位置することになる（図７の右側に示されたタブを参照）。図示された好適な実施形態の具体例の場合には、４つのそのようなタブ１９が存在するので、タブ１９の厚さに等しく正確に規定された幅を有する２つのエアギャップが、フェライト部分２０の対の間に形成されることになる。
【００３１】
タブ１９の厚さの変動は、図４および図５を比較することによって理解され得るように、ハウジングをより大きくまたはより小さく接近させることによって補正される。エアギャップの幅は、フェライト部分における公差が如何なるものであるかに関わらず、タブ１９によって不変に決定されることになる。様々なエアギャップを有する装置が特殊な事例のために必要とされる場合には、ハウジングの製造の間にタブ１９の厚さの寸法を形成し直すことだけが、それらを調整するために要求されることになる。
【００３２】
ここで、図１および図３に基づいて説明されるもう１つの実施形態は、装置のクロージャ作用を向上させる。ハウジングの２分割シェルを分離する平面に対して垂直である切り込み２１は、図３において理解され得るように、タブ１１が配置される側壁５の該当部分のいずれかの側面に沿って延在し、ハウジングのエッジ２２の周りにおいても延在するものであり、関連する２分割シェル２のベース９のほぼ中心に到達するまで続けられる（図１の頂部の近傍に見えている湾曲した切り込み２１を参照）。図示のサンプルの実施形態の場合には、それらは僅かに湾曲しているが、真直であっても良く、互いに対して或いはハウジングの端壁に対して傾斜していても良く、或いはその他の所定の形状または方向付けを有していても良い。従って、切り込み２１およびベース９によって画成される側壁の部分２２は、その２分割シェルの残りに対して撓むことが可能であり、そのことによって、その変形によって生じる復元力の故に２つのフェライト部分をそれらの間に位置するタブ１９に付勢し得ることになり、また、正確に規定されたエアギャップを設定するために役立つことにもなるのである。
【図面の簡単な説明】
【００３３】
【図１】開いたハウジングの上面図である。
【図２】図１に示された構成の端面図である。
【図３】図１に示された装置の側面図である。
【図４】閉じたハウジングの端面図である。
【図５】エアギャップの幅が変化する、図４に対応する図である。
【図６】閉じたハウジングの側面図である。
【図７】その中に収容されるフェライト部品を示している２分割シェルの長手方向断面図である。
【符号の説明】
【００３４】
１  ハウジング
２，３  ２分割シェル
４  フォイル・ヒンジ
５，６  側壁
７，８  端壁
９  ベース
１０  突起
１１  タブ
１２  凹部
１３  半円形切欠き
１４  クリップ
１７  平坦表面
１８  突起
１９  タブ
２０  フェライト部分
２１  切り込み
２２  エッジ
【図１】
2007524223.tif 000003
【図２】
2007524223.tif 000004
【図３】
2007524223.tif 000005
【図４】
2007524223.tif 000006
【図５】
2007524223.tif 000007
【図６】
2007524223.tif 000008
【図７】
2007524223.tif 000009
【国際調査報告】
2007524223.tif 000010
2007524223.tif 000011
2007524223.tif 000012
2007524223.tif 000013